(57)【特許請求の範囲】
【請求項１】
光源から照射される光を光記録媒体の記録面に集光するフォーカス制御を行うためのフォーカス制御系を有する光記憶装置において、
前記フォーカス制御系のフォーカスオフセット値を複数のオフセット値に順次に設定する、フォーカスオフセット値設定手段と、
前記フォーカスオフセット値設定手段により設定されたフォーカスオフセット値を、前記フォーカス制御系に加算する加算手段と、
前記フォーカスオフセット値設定手段により設定された各フォーカスオフセット値毎に、前記光源から照射される光の記録光量を複数の所定値に順次設定する、光量設定手段と、
前記光量設定手段により設定された前記記録光量を使用して、前記光記録媒体に、情報を記録する、記録手段と、
前記記録した情報を再生してその誤り率を測定する、誤り率測定手段と、
前記誤り率測定手段により測定した誤り率に基づいて、最適フォーカスオフセット値を決定する、最適フォーカスオフセット値判断手段とを有し、
前記最適フォーカスオフセット値判断手段は、前記記録光量と前記誤り率の加重平均値を計算し、前記誤り率の加重平均値が最小で且つ記録光量が最小となる場合の、前記フォーカスオフセット値を、最適フォーカスオフセット値として決定することを特徴とする光記憶装置。
【請求項２】
光源から照射される光を光記録媒体の記録面に集光するフォーカス制御を行うためのフォーカス制御系を有する光記憶装置において、
前記フォーカス制御系のフォーカスオフセット値を複数のオフセット値に順次に設定する、フォーカスオフセット値設定手段と、
前記フォーカスオフセット値設定手段により設定されたフォーカスオフセット値を、前記フォーカス制御系に加算する加算手段と、
前記フォーカスオフセット値設定手段により設定された各フォーカスオフセット値毎に、前記光源から照射される光の記録光量を複数の所定値に順次設定する、光量設定手段と、
前記光量設定手段により設定された前記記録光量を使用して、前記光記録媒体に、情報を記録する、記録手段と、
前記記録した情報を再生してその誤り率を測定する、誤り率測定手段と、
前記誤り率測定手段により測定した誤り率に基づいて、最適フォーカスオフセット値を決定する、最適フォーカスオフセット値判断手段とを有し、
前記最適フォーカスオフセット値判断手段は、前記誤り率が所定値以下となる記録光量の範囲が最も広い場合の、前記フォーカスオフセット値を、最適フォーカスオフセット値として決定することを特徴とする光記憶装置。
【請求項３】
前記記録媒体は、複数のゾーンに分割されており、前記各ゾーンの前記最適フォーカスオフセット値を記憶する記憶手段を更に有する、請求項１または２に記載の光記憶装置。
【請求項４】
前記フォーカスオフセット値判断手段は、前記記憶装置の温度を測定する温度測定手段を有し、前回の最適オフセット値の決定時から温度が変化した場合に、最適オフセット値を更新することを特徴とする請求項１または２に記載の光記憶装置。
【請求項５】
時間測定手段を有し、
前記フォーカスオフセット値判断手段は、前回の最適オフセット値の決定時から所定時間経過した場合に、最適オフセット値を更新する、請求項１または２に記載の光記憶装置。
【請求項６】
光源から照射される光を光記録媒体の記録面に集光するフォーカス制御を行うフォーカス制御系の最適フォーカスオフセット値決定方法であって、
前記所定のフォーカスオフセット値を設定して、情報を記録し、その情報を再生して誤り率を測定する誤り率測定処理を、記録時の記録光量を複数異ならせて行う第１のステップと、
前記フォーカスオフセット値を複数異ならせて第１のステップを行う第２のステップと、
前記記録光量と前記誤り率の加重平均値を計算し、前記誤り率の加重平均値が最小で且つ記録光量が最小となる場合の、前記フォーカスオフセット値を、最適フォーカスオフセット値として決定する第３のステップと、
を有することを特徴とする最適フォーカスオフセット値決定方法。
【請求項７】
光源から照射される光を光記録媒体の記録面に集光するフォーカス制御を行うフォーカス制御系の最適フォーカスオフセット値決定方法であって、
前記所定のフォーカスオフセット値を設定して、情報を記録し、その情報を再生して誤り率を測定する誤り率測定処理を、記録時の記録光量を複数異ならせて行う第１のステップと、
前記フォーカスオフセット値を複数異ならせて第１のステップを行う第２のステップと、
前記誤り率が所定値以下となる記録光量の範囲が最も広い場合の、前記フォーカスオフセット値を、最適フォーカスオフセット値として決定する第３のステップと、
を有することを特徴とする最適フォーカスオフセット値決定方法。
【発明の詳細な説明】
【０００１】
【発明の属する技術分野】
本発明は、光記憶装置に関し、特に、最適なフォーカスオフセット値を設定できる光記憶装置及び、その最適なフォーカスオフセット値の設定方法に関する。
【０００２】
【従来の技術】
光記録媒体の記録面に、情報を記録しそして再生するためには、レーザーダイオードから照射されるような光を、対物レンズ系を通して光記録媒体の記録面に集光し、その集光状態を保持し、常に合焦点（ジャストフォーカス）状態を保持するように制御する必要がある。このような、制御をフォーカスサーボ制御と呼ぶ。
【０００３】
図１は、光磁気方式のディスク状の光記録媒体１０に情報を記録し或は光記録媒体１０から情報を読み出す従来の光記憶装置１の一例を示す。図１に示す光記憶装置１は、主にコントロールユニット２及びディスクエンクロージャ３から構成される。
【０００４】
コントロールユニット２は、上位インタフェース１１、バッファメモリ１２、ＭＰＵ１３、光ディスクコントローラ１４、リード／ライトＬＳＩ１５、ＤＳＰ１６、フォーカスエラー信号検出回路１７、トラックエラー信号検出回路１８トラックゼロクロス検出回路１９、ドライバ２０、２１，２２及び２３を有する。また、エンクロージャ３には、レーザーダイオードユニット３１、ＩＤ／ＭＯ信号検出用ディテクタ３２、ヘッドアンプ３３、スピンドルモータ３４、磁場印加部３５、フォーカスエラー検出用ディテクタ３６ａ、トラックエラー検出用ディテクタ３６ｂ、フォーカスアクチュエータ３７、トラックアクチュエータ３８、対物レンズ系４０を有する。
【０００５】
上位インタフェース１１はパーソナルコンピュータ等の上位装置とインタフェースを行う。上位装置との間で送受信されるデータは、バッファメモリ１２に一時的記憶される。ＭＰＵ１３及びディスクコントローラ１４は、光記憶装置１の動作を制御する。
【０００６】
リード／ライトＬＳＩ１５は、データの変調及び復調を行う。リード／ライトＬＳＩ１５は、ディスク１０にデータを書き込むときには、書き込みデータを変調してレーザーダイオードユニット３１に供給し、一方、ディスクからデータをリードするときには、レーザーダイオードユニット３１から読出し用の光が出射されるようにレーザーダイオードユニット３１を制御する。
【０００７】
レーザーダイオードユニット３１から光記録媒体１０に照射された光は、光記録媒体１０で反射され、ＩＤ／ＭＯ信号検出用ディテクタ３２及びフォーカスエラー検出用ディテクタ３６ａ並びにトラックエラー検出用ディテクタ３６ｂに供給される。ＩＤ／ＭＯ信号検出用ディテクタ３２は、光記録媒体１０からの反射光のうちＩＤ／ＭＯ信号成分を検出し、検出したＩＤ／ＭＯ信号をヘッドアンプ３３に供給する。ヘッドアンプ３３は、ＩＤ／ＭＯ信号を増幅して、リード／ライトＬＳＩ１５に供給する。リード／ライトＬＳＩ１５は、ＩＤ／ＭＯ信号からＩＤ、データを復調する。リード／ライトＬＳＩ１５で復調されたデータは、バッファメモリ１２に記憶される。
【０００８】
フォーカスエラー検出用ディテクタ３６ａは、入射光を電気信号に変換し、フォーカスエラー信号検出回路１７に供給する。フォーカスエラー信号検出回路１７は、フォーカスエラー検出用ディテクタ３６ａからの電気信号に基づいてフォーカスエラー信号を生成する。
【０００９】
フォーカスエラー信号検出回路１７で生成されたフォーカスエラー信号は、ＤＳＰ１６に供給される。ＤＳＰ１６は、フォーカスエラー信号検出回路１７で生成されたフォーカスエラー信号Ｅ１に基づいてフォーカス制御信号を生成し、ドライバ２２に供給する。ドライバ２２は、ＤＳＰ１６からのフォーカス制御信号に基づいてフォーカスアクチュエータ３７に駆動電流を供給する。フォーカスアクチュエータ３７は、ドライバ２２からの駆動電流に基づいて対物レンズ系４０をフォーカス方向、に移動させる。対物レンズ系４０がフォーカス方向に移動することにより、レーザーダイオードユニット３１から出射されたレーザー光が光記録媒体１０上で焦点を結ぶように制御される。
【００１０】
また、トラックエラー検出用ディテクタ３６ｂは、入射光を電気信号に変換し、トラックエラー信号検出回路１８に供給する。トラックエラー信号検出回路１８は、トラックエラー検出用ディテクタ３６ｂで検出された信号に基づいてトラックエラー信号を生成する。トラックエラー信号検出回路１８で検出されたトラックエラー信号Ｅ２は、ＤＳＰ１６及びトラックゼロクロス信号検出回路１９に供給される。トラックゼロクロス信号検出回路１９は、トラックエラー信号に基づいてトラックゼロクロス信号Ｅ３を生成し、ＤＳＰ１６に供給する。ＤＳＰ１６は、トラックエラー信号及びトラックゼロクロス信号に基づいてトラッキング制御信号を生成し、ドライバ２３に供給する。
【００１１】
ドライバ２３は、ＤＳＰ１６からのトラッキング制御信号に基づいてトラックアクチュエータ３８に駆動電流を供給する。トラックアクチュエータ３８は、ドライバ２２からの駆動電流に基づいて駆動され、対物レンズ系４０を光記録媒体１０の半径方向に移動させ、トラック追従動作を行う。
【００１２】
ＭＰＵ１３は、スピンドルモータ制御信号を生成し、ドライバ２０に供給する。ドライバ２０は、ＭＰＵ１３からのスピンドルモータ制御信号に基づいてスピンドルモータ３４を回転させる。
【００１３】
さらに、ＭＰＵ１３は、磁場制御信号を生成し、ドライバ２１に供給する。ドライバ２１は、ＤＳＰ１６からの磁場制御信号に基づいて磁場印加部３５に駆動電流を供給する。磁場印加部３５は、ドライバ２１からの駆動電流に応じたバイアス磁界を発生する。磁場印加部３５で発生されたバイアス磁界は、光記録媒体１０に印加され、情報の記録及び／又は再生に用いられる。
【００１４】
光記憶装置１は、製造時において、フォーカスサーボ制御を行ったときに、合焦点（ジャストフォーカス）状態となるように調整される。しかし、経時変化等でずれを生じるために、合焦点（ジャストフォーカス）状態となるように補正を行うことが必要となる。このためには、合焦点（ジャストフォーカス）となる位置を捜す必要がある。
【００１５】
図２は、媒体記録面と媒体記録面に入射するレーザービームとの関係を示す。図２において、参照番号２０３は、光記録媒体１０の記録面２０２上に、入射レーザー光２０３の焦点が合っている場合を示す。参照番号２０４は、前述のフォーカスエラー信号に、例えば、負のオフセットが与えられた場合の、光記録媒体１０の記録面２０２に入射するレーザー光を示し、参照番号２０５は、記録面２０２から反射されるレーザー光を示す。一方参照番号２０６は、前述のフォーカスエラー信号に、例えば、正のオフセットが与えられた場合の、光記録媒体１０の記録面２０２に入射するレーザー光を示し、参照番号２０７は、記録面２０２から反射されるレーザー光を示す。このように、フォーカスサーボ制御が行われている状態で、フォーカスエラー信号にオフセットを与えると、合焦点の位置をディスクの記録面の前方又は後方に移動させることができる。
【００１６】
フォーカスオフセットを調整して合焦点位置を捜す方法の従来技術としては、例えば、フォーカスサーボ制御とトラッキングサーボ制御を共に行いながらフォーカスオフセット値を変化させ、ＩＤ信号振幅が最大となる位置を合焦点位置と判断し、そして、そのときのフォーカスオフセット値を最適フォーカスオフセット値と決定する方法がある。
【００１７】
また、上記のほかにも、フォーカスサーボ制御とトラッキングサーボ制御を共に行いながらフォーカスオフセット値を変化させ、ＭＯ信号振幅が最大となる位置を合焦点位置と判断するものや、光記録媒体からの反射全光量が最大となる位置を合焦点位置と判断するもの、或は、トラッキングサーボを外して、トラッキングエラー信号の振幅が最大となる位置を合焦点位置と判断するもの等がある。
【００１８】
従来の光記憶装置では、光記録媒体の記録密度が比較的低かったので、上記のような方法により合焦点位置と判断し、そして、そのときのフォーカスオフセット値を最適フォーカスオフセット値と決定しても、再生データの誤り率は一定値以下に押さえることができた。
【００１９】
しかしながら、記録媒体の高密度化が進行し、再生データの誤り率を一定値以下とする場合における焦点ずれ（デフォーカス）に対する許容値が小さくなってきている。即ち、上述の従来技術に従って、合焦点位置を判断し、そして、そのときのフォーカスオフセット値を最適フォーカスオフセット値と決定しても、再生データの誤り率を一定値以下に押さえることができないという問題がある。
【００２０】
このためには、より正確に、最適な記録再生光量とフォーカスオフセット値を決定する必要がある。
【００２１】
最適な記録光量を決定する方法としては、例えば、特開平８−１２９７５４号公報に記載の技術が挙げられる。この方法では、最適な記録光量を決定するに際して２つの記録パターンの偏差信号がほぼゼロとなる記録光量を探し、この記録光量を最適な記録光量として決定するものである。しかし、この方法では、偏差信号を測定するための特別な回路が必要となり、コストが増加するという問題がある。
【００２２】
また、最適フォーカスオフセットを決定する方法としては、例えば、特開２００１−２３１６５号公報に記載の技術が挙げられる。この技術においては、書き込み光量を一定として、フォーカスオフセット値を変えながら、光記録媒体に情報を記録再生し、情報が再生できるか否かを判断基準として、情報が再生可能なフォーカスオフセット値の範囲を決定する。そして、次に、書き込み光量を減少させて、フォーカスオフセット値を変えながら、光記録媒体に情報を記録再生し、情報が再生が可能なフォーカスオフセット値の範囲を決定する。これを繰返して、書き込み光量が最小となるフォーカスオフセット値を最適フォーカスオフセット値として決定する。そして、この最小の書き込み光量から一定値を加えた光量を最適書き込み光量として決定する。しかし、この従来技術では、真の最適な書き込み光量を決定することは出来ず、また、再生データの誤り率対記録又は再生光量の曲線や再生データの誤り率対フォーカスオフセット値の曲線が、誤り率最小の点に対して対称でないような場合には、最適なフォーカスオフセット値を求めることができない。
【００２３】
更に、最適フォーカスオフセット値を決定する別の方法としては、例えば、特開２００１−２３１６５号公報に記載の技術が挙げられる。この技術では、再生信号のジッタが最小となるフォーカスオフセット値を最適フォーカスオフセット値として決定する。しかし、この技術では、再生信号のジッタを測定するための特別な回路が必要であり、これは大きなコスト増加となる。
【００２４】
【発明が解決しようとする課題】
本発明は、上記問題点を解決した、光記憶装置及び、その最適フォーカスオフセット値決定方法を提供することである。特に本発明は、光記録媒体が高密度化され、再生データの誤り率を一定値以下とする場合の焦点ずれ（デフォーカス）に対する許容値が小さくても、低コストで且つ、最適なフォーカスオフセット値を設定できる光記憶装置及び、その最適フォーカスオフセット値設定方法を提供することである。
【００２５】
【課題を解決するための手段】
上記目的を達成するために、本発明は、光源から照射される光を光記録媒体の記録面に集光するフォーカス制御を行うためのフォーカス制御系を有する光記憶装置において、
フォーカス制御系のフォーカスオフセット値を複数のオフセット値に順次に設定する、フォーカスオフセット値設定手段と、
フォーカスオフセット値設定手段により設定されたフォーカスオフセット値を、フォーカス制御系に加算する加算手段と、
フォーカスオフセット値設定手段により設定された各フォーカスオフセット値毎に、光源から照射される光の記録光量を複数の所定値に順次設定する、光量設定手段と、
光量設定手段により設定された記録光量を使用して、光記録媒体に、情報を記録する、記録手段と、
記録した情報を再生してその誤り率を測定する、誤り率測定手段と、
誤り率測定手段により測定した誤り率に基づいて、最適フォーカスオフセット値を決定する、最適フォーカスオフセット値判断手段とを有するように構成する。
【００２６】
本発明により、低コストで且つ、最適な記録再生光量とフォーカスオフセット値を決定できる光記憶装置を提供できる。
【００２７】
更に、本発明では、最適フォーカスオフセット値判断手段は、誤り率が最小で且つ記録光量が最小となる場合の、フォーカスオフセット値を、最適フォーカスオフセット値として決定する。
【００２８】
これにより、再生信号の誤り率が最小となるように、最適フォーカスオフセット値が決定されるので、真の最適最適フォーカスオフセット値を決定することができる。
【００２９】
更に、本発明は、最適フォーカスオフセット値判断手段は、記録光量と誤り率の加重平均値を計算し、誤り率の加重平均値が最小で且つ記録光量が最小となる場合の、前記フォーカスオフセット値を、最適フォーカスオフセット値として決定する。
【００３０】
これにより、再生データの誤り率対記録再生光量の曲線や再生データの誤り率対フォーカスオフセット値の曲線が、誤り率最小の点に対して対称でないような場合においても、最適なフォーカスオフセット値を求めることができる。
【００３１】
【発明の実施の形態】
本発明の実施例を、図を参照して、以下に説明する。
【００３２】
先ず最初に、本発明の第1の実施例を、説明する。図３は、本発明の第1の実施例の概略の構成を示す図であり、図１と同一番号を付した構成要素は、同一の構成要素を示す。図３は、本実施例に従って最適なフォーカスオフセットを設定するフォーカス制御系を示し、制御部であるMPU１３とＤＳＰ１６、フォーカスエラー信号検出回路１７、ドライバ２２及び、フォーカスアクチュエータ３７、及び、加算器３０３で構成される。ＭＰＵ１３は、情報を一時的に記憶しておくレジスタ３０４を有する。しかし、このレジスタ３０４は、ＭＰＵ１３の外部に配置することも可能である。DSP１６には、MPU１３からのオフセット制御データを受けるレジスタ３０１及び、レジスタの示す値をアナログ値に変換するD／A変換器３０２を有する。MPU１３からオフセット制御データをレジスタ３０１に送ることにより、レジスタ３０１に書き込まれたオフセット制御データに従ったアナログ値が、Ｄ／Ａ変換器３０２より出力され、フォーカスオフセット値が設定され、このように設定されたフォーカスオフセット値が、加算部３０３によりフォーカスサーボ系に加算される。また、図１に示す光記録媒体１０に信号を記録及び再生するときの光量は、MＰＵ１３からの命令に従って、リードライトＬＳＩ１５、レーザダイオードユニット３１に、光記録媒体１０に信号を記録及び再生するときの光量が設定される。
【００３３】
また、光記録媒体１０に記録されるデータは、前述したように、通常は、パーソナルコンピュータ等の上位装置から上位インタフェース１１を介して送られ、バッファメモリ１２に一時的記憶された後に記録されるが、本実施例においては、ＭＰＵ１３が、最適フォーカスオフセット値を決定するためにのみ使用するテストデータを制御データ記憶メモリから読み出して、バッファメモリ１２に一時的記憶して、光記録媒体１０に記録再生してもよい。
【００３４】
更に、本実施例においては、制御部であるＭＰＵ１３は、光記録媒体１０に記録した情報と光記録媒体１０から再生した情報を比較して、再生した情報の誤り率を測定する誤り率測定機能及び、測定した誤り率に基づいて最適フォーカスオフセット値を決定する最適フォーカスオフセット値判断機能とを構成する。
【００３５】
また、図４は、本実施例で最適フォーカスオフセット値を設定するための光記録媒体１０の一例である光ディスク４０１を示す。本発明の実施例においては、光記録媒体１０の一例として光ディスク４０１を参照して説明するが、本発明は、光記憶カードのような、ディスク形状を有しない光記録媒体に関しても同様に適用できる。光ディスク４０１は、例えば、本実施例では、テスト領域４０２、半径方向に複数トラック毎に分割されてなるゾーン４０３、４０４及び４０５より構成されているものとする。
【００３６】
次に、図５を用いて、本実施例の動作を詳細に説明する。図５は、本発明の第1の実施例の最適オフセット値設定手順の動作を示すフローチャートを示す。最適フォーカスオフセット値設定手順が、ステップ５０１で開始すると、ステップ５０２で、ＭＰＵ１３は、図１のＤＳＰ１６に命令を送り、ドライバ２２、２３を介してフォーカスアクチュエータ３７とトッラクアクチュエータ３８を駆動して、フォーカスサーボ及び、トラックサーボを実行する。そして、現在位置から図４のディスク４０１のテスト領域４０２にシークを行い、光ビームを位置付けする。次に、ステップ５０３で、図３のＭＰＵ１３は、レジスタ３０１にフォーカスオフセットが０であることを示すデータを送り、Ｄ／Ａ変換器３０２よりゼロのオフセット値を出力し、加算部３０３により加算する。そして、ステップ５０４で、テスト領域４０２を消去する。従って、消去時にフォーカスオフセットをゼロとすることにより、大きくデフォーカスされること無く、確実に、トラックに記録されているデータを消去することができる。
【００３７】
次に、ステップ５０５で、ＭＰＵ１３は、レジスタ３０１にフォーカスオフセットが−Ｘであることを示すデータを送り、Ｄ／Ａ変換器３０２よりこのデータをアナログ値に変換して、−Ｘのオフセット値を出力し、加算部３０３によりＤＳＰ１３のフォーカスエラー信号の入力において、フォーカス制御系に加算する。このようにして、ＭＰＵ１３は、フォーカスオフセット値を−Ｘに設定する。このように、ＤＳＰ１６の入力で、アナログ値で加算することにより、フォーカス制御系のダイナミックレンジを最も確保することができる。
【００３８】
次に、ステップ５０６で、ＭＰＵ１３は、前述したように、図１に示すリード／ライトＬＳＩ１５、及び、レーザーダイオードユニット３１に指示して、情報を光ディスク４０１のテスト領域４０２に書き込む際の光量を、−Ｙに設定する。
【００３９】
次に、ステップ５０７で、ＭＰＵ１３は、リード／ライトＬＳＩ１５、レーザーダイオードユニット３１を制御して、テスト用の情報を光ディスク４０１のテスト領域４０２に書き込む。尚、前述のように、パーソナルコンピュータ等の上位装置から上位インタフェース１１を介してテスト用のデータが送られ、バッファメモリ１２に一時的記憶された後に光ディスク４０１記録してもよいが、本実施例においては、ＭＰＵ１３が、最適フォーカスオフセット値を決定するためにのみ使用するテストデータを発生してバッファメモリ１２に一時的記憶して、光記録媒体４０１に記録してもよい。
【００４０】
但し、本実施例では、記録される情報には、誤り訂正符号（ＥＣＣ）を付加すること無く、光ディスク４０１に記録する。これは、再生された情報に含まれる誤りが、ＤＳＰ１６により、誤り訂正号を用いて訂正されてしまうと、真の誤り率を測定することが出来ないためである。また、記録する情報（テストデータ）は、再生した情報との比較を行うために、以下に説明する誤り率の測定が行われるまで、バッファメモリ１２内に残される。
【００４１】
次に、ステップ５０８で、上述のように光ディスク４０１のテスト領域４０２に記録した情報を、誤り訂正を行うこと無く再生する。このように再生された情報は、バッファメモリ１２に一時的に記憶される。
【００４２】
次に、ステップ５０９で、ＭＰＵ１３は、上述のように再生した情報と、バッファメモリ１２内に残されている記録した情報の全情報の比較を行い再生情報の誤り率を計算する。具体的には、記録データと再生データの１ビット毎にビット比較を行い、ビット誤り個数を求めて、全ビット数に対するビット誤り個数で、ビットエラーレートを算出する。ステップ５１０で、この誤り率とフォーカスオフセット値−Ｘ及び、書き込み光量−Ｙを共に、図３のＭＰＵ内のレジスタ３０４に記憶する。以上のようにして、フォーカスオフセット値−Ｘに対して、書き込み光量−Ｙの場合に、情報を記録しかつ再生した結果の誤り率を測定し、これを記憶できる。
【００４３】
次に、ステップ５１１で、上述のステップ５０６で設定した書き込み光量−Ｙをαだけ増加させる。
【００４４】
そして、ステップ５１２で、この増加された書き込み光量が、所定値＋Ｙとなったか否かが判断される。この増加された書き込み光量が、所定値＋Ｙに達していない場合には、テスト領域の所定のトラックを消去した後、上述のステップ５０７から５１１を繰返して、実行し、フォーカスオフセット値−Ｘに対して、書き込み光量を変化させた場合における、誤り率を測定し、これを記憶する。
【００４５】
ステップ５１２で、前述の増加された書き込み光量が、所定値＋Ｙに達してる場合には、次に、ステップ５１３において、ステップ５０５で設定したフォーカスオフセット値をαだけ増加する。
【００４６】
そして、ステップ５１４で、この増加されたフォーカスオフセット値が、所定値＋Ｘとなったか否かが判断される。この増加されたフォーカスオフセット値が、所定値＋Ｘに達していない場合には、上述のステップ５０６から５１３を繰返して、実行し、αだけ増加されたフォーカスオフセット値に対して、書き込み光量を−Ｙから＋Ｙまで変化させた場合における、誤り率を測定し、これを記憶する。
【００４７】
そして、ステップ５１４で、前述の増加されたフォーカスオフセット値が、所定値＋Ｘに達している場合には、次に、ステップ５１５において、最適フォーカスオフセット値の決定を行う。最適フォーカスオフセット値の決定については、後述する。
【００４８】
そして、最適フォーカスオフセット値の決定が行われた後に、ステップ５１６で終了する。そして、このように設定された最適フォーカスオフセット値を使用して、記録或は再生のような通常の動作を行う。
【００４９】
次に最適フォーカスオフセット値の決定方法について説明する。
【００５０】
図６は、書き込み光量を変化させながら、測定した再生情報の誤り率（リードエラーレート）を示す。図６の曲線６０１と６０３は、書き込み光量を変化させながら情報を記録し且つこれを再生した場合の再生情報の誤り率を示す。曲線６０１は例えば、最適フォーカスオフセット値が設定されている場合の再生情報の誤り率を示し、最適な光量は、再生情報の誤り率の最も低い光量値６０２である。一方曲線６０３は、フォーカスオフセット値が最適フォーカスオフセット値からずれている場合の再生情報の誤り率を示し、最適な光量は、再生情報の誤り率の最も低い光量値６０４である。図６に示すように、フォーカスオフセット値が最適フォーカスオフセット値からずれると、記録光量と再生情報の誤り率の関係が、曲線６０１から曲線６０３に変化し、これにより、最適な光量値における再生情報の誤り率が、誤り率６０５から誤り率６０６に上昇し且つ、所定の誤り率６０７以下を実現できる記録光量の値の幅（以下これをパワーマージンと呼ぶ）が、パワーマージン６０８からパワーマージン６０９へと狭くなるという結果となる。これは、フォーカスオフセット値が最適フォーカスオフセット値からずれたことにより、デフォーカスが発生し、レーザ光が集光される点が光ディスク４０１の記録面上からずれてしまうために、より大きな記録光量を必要とするためである。
【００５１】
図７は、フォーカスオフセット値と記録光量を２次元座標として、再生情報の誤り率を等高線的に示したものである。図７において、三日月状の曲線７０１で囲まれた部分の内部は、再生情報の誤り率が一番低い部分を示す。三日月状の曲線７０２と曲線７０１で囲まれた間の部分は、再生情報の誤り率が中程度である部分を示し、そして、三日月状の曲線７０３と曲線７０２で囲まれた間の部分は、再生情報の誤り率が高い部分を示す。そして、三日月状の曲線７０３で囲まれた部分の外側は、再生情報の誤り率が更に高い部分を示す。
【００５２】
図７に示す再生情報の誤り率の場合には、最適フォーカスオフセット値は、フォーカスオフセット値７０４の示す値である。この最適フォーカスオフセット値７０４から、フォーカスオフセット値を増加或は減少させると、最適な記録光量値が増加し、且つ、最適な記録光量値で記録しても、最適フォーカスオフセット値７０４の場合と比較して、再生情報の誤り率は、増加し且つ前述のパワーマージンが減少する。従来の最適フォーカスオフセット検出方法では、ＴＥＳの振幅が最大となる場合のフォーカスオフセットを最適オフセットとする、フォーカスオフセット値７０５が設定されていた。
【００５３】
図５のステップ５１５においては、この原理を利用して、最適フォーカスオフセット値の決定を行う。
【００５４】
図５のステップ５１５においては、前述のように図５のステップ５０１から５１４において測定した、再生情報の誤り率の測定結果とそのときのオフセット値及び書き込み光量値が、ＭＰＵ１３内のレジスタ３０４に記憶されている。このようにＭＰＵ１３内のレジスタ３０４に記憶されている誤り率の測定結果は、図７に示す、フォーカスオフセット値と記録光量を２次元座標として、再生情報の誤り率を等高線的に示したものと等しい。従って、フォーカスオフセット値判断手段としてのＭＰＵ１３は、レジスタ３０４に記憶されている誤り率の測定結果を順次読み出して、上述のような、再生情報の誤り率が最小で且つ記録光量が最小になるフォーカスオフセット値７０４或は、パワーマージンの最も広くなるようなフォーカスオフセット値、或はその両方の条件を満足するようなフォーカスオフセット値を、レジスタに記憶されている誤り率の測定結果から選択して最適フォーカスオフセット値を決定することができる。
【００５５】
次に本発明の第２の実施例について説明する。本実施例は、書き込み光量を変化させながら、情報を光ディスク４０１に記録しこれを再生した場合の再生情報の誤り率を示す曲線が、最小の再生情報の誤り率を中心として対称でない場合であっても、適切に最適フォーカスオフセットを決定できる実施例である。本実施例は、図５のステップ５１５において、再生情報の誤り率が最も低くなる記録光量が最も小さくなる最適フォーカスオフセット値を決定するために、再生情報の誤り率が最小となる最適記録光量値を適切に決定する方法の一実施例である。
【００５６】
図８は、記録光量を変化させながら、情報を光ディスク４０１に記録し、これを再生した場合の再生情報の誤りの個数を示す２本の曲線を示す。図８の横軸は記録再生光量の指標を示し、縦軸は、再生情報の誤りの個数を示す。曲線８０１は再生情報の最小の誤り個数値８０３を中心として再生情報の誤り率が左右対称である場合の例を示し、一方、曲線８０２は再生情報の最小の誤り個数値８０４を中心として再生情報の誤り率が左右対称でない場合の例を示す。
【００５７】
図９は、曲線８０１と曲線８０２の各点における再生情報の誤りの個数値を示す図であり、（Ａ）は曲線８０１の各点における再生情報の誤りの個数を示し、（Ｂ）は曲線８０２の各点における再生情報の誤りの個数を示す。
【００５８】
本実施例では、最適記録光量値を加重平均値Ａと呼び、以下のように定義する。
【００５９】
加重平均値Ａ＝（Ｘ１＊Ｙ１＋．．＋Ｘｎ＊Ｙｎ）／（Ｙ１＋．．＋Ｙｎ）
ここで、Ｘｎは、記録光量の指標を示し、Ｙｎはその記録光量の指標で記録再生を行った場合の、再生情報の誤りの個数を示し、本実施例では、ｎ＝１から１１である。
【００６０】
図８と、図９の（Ａ）からわかるように、曲線８０１の再生情報の誤りの個数が最小となる記録光量の指標は６であり、且つ、この指標を中心として、再生情報の誤りの個数は左右で対象の特性を示す。しかし、図８と、図９の（Ｂ）から分かるように、曲線８０２の再生情報の誤りの個数が最小となる記録光量の指標は９であり、且つ、この指標を中心として、再生情報の誤りの個数は右側に偏っている特性を示す。このような場合に、最適記録光量値を指標９に示すような値とすれば、この指標９の示す記録光量値が、実際に使用されるときに、指標９の示す値よりもより僅かに大きい記録光量値に設定されると、再生情報の誤りの個数が急激に増加することとなる。従って、図８の曲線８０２に示されるような特性を有する場合でも、最適記録光量値のマージンを考慮すれば、曲線８０２の示す最適記録光量値の指標と同等な値に、設定されるのが好ましい。
【００６１】
上述の加重平均値Ａを最適記録光量値とすることにより、このような問題を回避することができる。図８の曲線８０１の場合には、加重平均値Ａは、６となり、一方、図８の曲線８０２の場合には、加重平均値Ａは、６．３となる。このように、曲線８０２のような、再生情報の最小の誤り個数値８０４を中心として再生情報の誤り率が左右対称でない場合においても、加重平均値Ａを最適記録光量値とすることにより、最適記録光量値の上側と下側にマージンを有する真の最適記録光量値を決定することができる。
【００６２】
次に本発明の第３の実施例について説明する。本実施例は、光記録媒体の記録領域が複数のゾーンに分割されているような光記録担体に対して、最適なフォーカスオフセット値を設定することを目的とする実施例である。
【００６３】
図１０は、記録領域が半径方向に複数のゾーンに分割されているような光記録担体の一例の光ディスク１００１を示す。光ディスク１００１は、ゾーン１００２、ゾーン１００３及びゾーン１００４の３つのゾーンに分割されているものとする。ゾーン１００１は、テスト領域１００５とユーザ領域１００６を有する。ゾーン１００２は、テスト領域１００７とユーザ領域１００８を有する。そして、ゾーン１００４は、テスト領域１００９とユーザ領域１０１０を有する。
【００６４】
図１１は、本実施例を実行する実施例の構成を示す。図１１において、図３と同一番号を付した構成要素は、同一の構成要素を示す。また、図１１の構成では、不揮発性メモリ１１０１を有する。図１０のような、複数のゾーンを有する光ディスクでは、ディスクの反り等により、ゾーンによって、最適なフォーカスオフセット値が異なる場合がある。従って、例えば、ディスクが記憶装置１に最初に装着されたときに、各ゾーンのテスト領域１００５、１００７及び、１００９ごとに、上述したように、最適フォーカスオフセット値を決定して、この各ゾーン毎の最適フォーカスオフセット値を不揮発性メモリ１１０１に記憶する。そして、次に、各ゾーンをアクセスする時には、制御手段としてのＭＰＵ１３は、この不揮発性メモリ１１０１から、アクセスしようとするゾーンの既に決定して記憶してある最適オフセット値を読出し、ＤＳＰ１６のレジスタ３０１に送る。レジスタ３０１はＭＰＵ１３から送られた値をＤ／Ａ変換器３０２に送り、Ｄ／Ａ変換器３０２によりアナログ値に変換された、そのゾーンに対する最適オフセット値が加算器３０３により、フォーカス制御系に加えられる。このようにすることにより、各ゾーン毎に、最適フォーカスオフセット値を設定できるので、各ゾーン毎に、光ディスク１００１の記録面に正確に光ビームを収束することができる。
【００６５】
次に本発明の第４の実施例について説明する。本実施例は、記録領域が複数のゾーンに分割されているような光記録担体に対して、最適なフォーカスオフセット値を設定することを目的とする別の実施例である。
【００６６】
図１０に示す記録領域が複数のゾーンに分割されているような光記録担体の一例の光ディスク１００１は、上述のように、ゾーン１００１は、テスト領域１００５とユーザ領域１００６を有し、ゾーン１００２は、テスト領域１００７とユーザ領域１００８を有し、そして、ゾーン１００４は、テスト領域１００９とユーザ領域１０１０を有する。上述の実施例においては、各ゾーンのテスト領域１００５、１００７及び、１００９ごとに、上述したように、最適フォーカスオフセット値を決定して、この各ゾーン毎の最適フォーカスオフセット値を不揮発性メモリ１１０１に記憶する構成とした。しかし、このユーザ領域１００６、１００８及び１０１０においても、テスト領域１００５、１００７及び、１００９と同様に、上述したように、最適フォーカスオフセット値を決定して、この各ゾーン毎の最適フォーカスオフセット値を不揮発性メモリ１１０１に記憶することが可能である。また、この決定は、各ユーザ領域の中心付近の位置において行えば、ユーザ領域の全範囲に対して最も適切な最適フォーカスオフセット値を決定することができる。例えば、ユーザ領域の最前部で行うと最後部は、１ユーザ領域分の間隔の離れた位置で決定された最適フォーカスオフセットを使用することとなり、最適なフォーカスオフセット値が異なる場合があるためである。そして、次に、各ゾーンをアクセスする時には、ＭＰＵ１３は、この不揮発性メモリ１１０１から、アクセスしようとするゾーンの既に決定して記憶してある最適オフセット値を読出し、ＤＳＰ１６のレジスタ３０１に送る。レジスタ３０１はＭＰＵ１３から送られた値をＤ／Ａ変換器３０２に送り、Ｄ／Ａ変換器３０２によりアナログ値に変換された、そのゾーンに対する最適オフセット値が加算器３０３により、フォーカス制御系に加えられる。このようにすることにより、各ゾーン毎に、最適フォーカスオフセット値を設定できるので、各ゾーン毎に、光ディスク１００１の記録面に正確に光ビームを収束することができる。
【００６７】
また、本発明の上述の実施例において、ディスク１００１が装着されたときに最適フォーカスオフセット値を設定して、不揮発性メモリ１１０１にその最適フォーカスオフセット値を記憶することに関して説明したが、この動作は、光記憶装置の製造時点で標準ディスクのような光記録媒体に対して、最適フォーカスオフセット値を設定して、不揮発性メモリ１１０１にその最適フォーカスオフセット値を記憶することもでき或は、実際の使用時に、光ディスク１００１を記憶装置に装着するたびにこの動作を実行するようにしてもよい。
【００６８】
次に本発明の第５の実施例について説明する。図１２は、本実施例の概略を示す。図１２において、図３と同一番号を付した構成要素は、同一の構成要素を示す。また、図１２の構成では、温度測定手段１２０１を有する。上述の実施例では、光記録媒体が、光記録装置に装着されたときに、或は、光記憶装置の製造時点で、最適フォーカスオフセット値が決定される構成であった。これに対して、光ディスクのような光記録媒体が、光記憶装置に装着された後は、その光記憶装置の動作状態により、光記憶装置の内部温度が変化する場合がある。光記憶装置の内部温度が変化すると、光記憶装置の内部に装備されている半導体部品等の温度変化等により、フォーカス制御系の最適フォーカスオフセットが変化してしまう場合がある。そこで、本実施例では、温度測定手段１２０１を設けて、最適フォーカスオフセット値が決定された時の装置内部の温度を測定し、温度測定手段１２０１の出力する温度値をＭＰＵ１３が受けて、レジスタ３０４に記憶する構成とした。そして、ＭＰＵ１３が、レジスタ３０４内に記憶された温度値と、温度測定手段１２０１により測定されている装置内部の温度値を比較し、この温度値の間の差が所定値以上となった場合には、上述の最適フォーカスオフセット値の設定を再度行うことにより、常に最適なフォーカスオフセット値を常に維持することができる。また、このように最適フォーカスオフセット値の設定を再度行うと時間がかかるが、これが好ましくない場合には、簡単には、上記の温度差に従って、ＭＰＵ１３が、ＤＳＰ１６内のレジスタ３０１に設定されている情報を微調整したり、計算で調整値を求めたりすることにより、不揮発性メモリに設定された初期値から、ＤＳＰで計算で算出しもしくは、予め決められた変化量を加算することにより、温度変化に対して、最適フォーカスオフセット値を追従させることも可能である。
【００６９】
次に本発明の第６の実施例について説明する。図１３は、本実施例の概略を示す。図１３において、図３と同一番号を付した構成要素は、同一の構成要素を示す。また、図１３の構成では、時間測定手段１３０１を有する。この時間測定手段１３０１は、ＭＰＵ１３にタイマ装置等が内蔵されていれば、このタイマ装置等を使用することも可能である。本実施例では、時間測定手段１３０１により、最適フォーカスオフセット値が決定された時から現在までの経過時間を測定し、所定の経過時間が経過したときには、上述の最適フォーカスオフセット値の設定を再度行い、常に最適なフォーカスオフセット値を維持することができる。
【００７０】
また、図１に示すように、パーソナルコンピュータ等の上位装置から上位インタフェース１１を介して、コマンドが送られた場合に、ＭＰＵ１３が時間測定手段１３０１の経過時間を検査し、この時に最適フォーカスオフセット値が決定された時から所定の経過時間が経過していたときには、ＭＰＵ１３は、各ゾーンに対する上述の最適フォーカスオフセット値の設定を全て連続して、再度行い、常に最適なフォーカスオフセット値を維持する構成とすることもできる。しかし、この場合には、上述の最適フォーカスオフセット値の設定を全て連続して再度行うと、非常に時間がかかるので、本実施例の時間測定装置１３０１により、ＭＰＵ１３は、上記の最適フォーカスオフセット値の設定動作が開始されてからの経過時間を認識して、一定時間経過後に、一時的に動作を中止することも可能である。そして、次に再び、パーソナルコンピュータ等の上位装置からコマンドが送られた場合に、上記の最適フォーカスオフセット値の設定動作を再開することも可能である。
【００７１】
次に本発明の第７の実施例について説明する。本実施例は、光記録媒体に記録された情報を再生する再生方式として、磁気超解像（ＭＳＲ）方式を使用する場合の実施例である。図１４は、磁気超解像（ＭＳＲ）方式を使用して、光記録媒体に記録された情報を再生する場合の、再生光量と再生情報の誤り率（リードエラーレート）との関係を示す図である。磁気超解像方式を使用して、光記録媒体に記録された情報を再生する場合には、再生光量がある所定値以下の場合には、記録信号を再生することができないが、ある所定値を超えると、急激に記録信号の再生が可能となる。従って、図１４の曲線１４０１に示すように、再生光量が低い方から最適再生光量に増加するにつれて、急激に再生情報の誤り率が低下し、最適再生光量を通過して更に増加すると、再生情報の誤り率は緩やかに上昇するので、最適再生光量値を中心として、左右が非対称な曲線１４０１となる。曲線１４０１は、最適フォーカスオフセット値が、フォーカス制御系に設定されている場合の例であり、フォーカスオフセット値が、最適でない場合には、曲線１４０３に示すように、再生情報誤り率の最小値が高く且つ、パワーマージンも狭くなる。
【００７２】
図１５は、本発明の第７の実施例の最適オフセット値設定手順の動作を示すフローチャートを示す。図１５において、図５と同一番号のステップは同一のステップを示す。図１５で、図５と異なるのはステップ１５０１、１５０２、１５０３、及び、１５０４である。最適フォーカスオフセット値設定手順が、ステップ５０１で開始すると、ステップ５０２で、ＭＰＵ１３は、図１のＤＳＰ１６に命令を送り、ドライバ２２、２３を介してフォーカスアクチュエータ３７とトラックアクチュエータ３８を駆動して、フォーカスサーボ及び、トラックサーボを実行し、図４のディスク４０１のテスト領域４０２にシークを行う。本実施例においては、ステップ１５０１において、フォーカスオフセットをゼロとし、且つ書き込み光量を所定値に設定する。この後に、ステップ５０４で、テスト領域４０２を消去する。そして、ステップ１５０２において、誤り訂正符号（ＥＣＣ）を付加しないでデータを光記録媒体に書き込む。次に、ステップ５０５で、ＭＰＵ１３は、レジスタ３０１にフォーカスオフセットが−Ｘであることを示すデータを送り、Ｄ／Ａ変換器３０２よりこのデータをアナログ値に変換して、−Ｘのオフセット値を出力し、加算部３０３によりＤＳＰ１３のフォーカスエラー信号の入力において、フォーカス制御系に加算する。このようにして、ＭＰＵ１３は、フォーカスオフセット値を−Ｘに設定する。この後に、ステップ１５０３で、再生光量を−Ｙに設定して、ステップ５０８で誤り訂正を行わないで光記録媒体から情報を読み出す。次に、ステップ５０９で、ＭＰＵ１３は、上述のように再生した情報と、バッファメモリ１２内に残されている記録した情報の全情報の比較を行い再生情報の誤り率を計算する。具体的には、記録データと再生データの１ビット毎にビット比較を行い、ビット誤り個数を求めて、全ビット数に対するビット誤り個数で、ビットエラーレートを算出する。ステップ５１０で、この誤り率とフォーカスオフセット値−Ｘ及び、書き込み光量−Ｙを共に、図３のＭＰＵ内のレジスタ３０４に記憶する。次に、ステップ１５０４で再生光量をαだけ増加し、ステップ１５０５で、再生光量が＋Ｙに達していない場合には、ステップ５０８からステップ１５０４を繰返す。ステップ１５０５で、再生光量が＋Ｙに達している場合には、ステップ５１３でフォーカスオフセットをαだけ増加し、ステップ５１４で、フォーカスオフセットが＋Ｘに達していない場合には、ステップ１５０３からステップ５１３を繰返す。
【００７３】
そして、ステップ５１４で、前述の増加されたフォーカスオフセット値が、所定値＋Ｘに達してる場合には、次に、ステップ５１５において、最適フォーカスオフセット値の決定を行う。最適フォーカスオフセット値の決定は、上述の実施例に記載したのと同様に実行する。
【００７４】
前記図５を参照して説明した実施例は、光記録媒体としては、ＭＳＲ方式の光磁気（ＭＯ）記録媒体だけでなく、それ以外の通常の光磁気（ＭＯ）記録媒体に対する、記録再生装置について使用できる。
【００７５】
これに対して、上述の図１５を参照して説明した実施例は、ＭＳＲ方式の光磁気（ＭＯ）記録媒体の場合に、選択的に機能するものであり、再生専用装置及び、記録再生装置の両方について使用できる。
【００７６】
（付記１）  光源から照射される光を光記録媒体の記録面に集光するフォーカス制御を行うためのフォーカス制御系を有する光記憶装置において、
前記フォーカス制御系のフォーカスオフセット値を複数のオフセット値に順次に設定する、フォーカスオフセット値設定手段と、
前記フォーカスオフセット値設定手段により設定されたフォーカスオフセット値を、前記フォーカス制御系に加算する加算手段と、
前記フォーカスオフセット値設定手段により設定された各フォーカスオフセット値毎に、前記光源から照射される光の記録光量を複数の所定値に順次設定する、光量設定手段と、
前記光量設定手段により設定された前記記録光量を使用して、前記光記録媒体に、情報を記録する、記録手段と、
前記記録した情報を再生してその誤り率を測定する、誤り率測定手段と、
前記誤り率測定手段により測定した誤り率に基づいて、最適フォーカスオフセット値を決定する、最適フォーカスオフセット値判断手段とを有する、光記憶装置。
【００７７】
（付記２）  前記最適フォーカスオフセット値判断手段は、前記誤り率が最小で且つ記録光量が最小となる場合の、前記フォーカスオフセット値を、最適フォーカスオフセット値として決定する、付記１に記載の光記憶装置。
【００７８】
（付記３）  前記最適フォーカスオフセット値判断手段は、前記記録光量と前記誤り率の加重平均値を計算し、前記誤り率の加重平均値が最小で且つ記録光量が最小となる場合の、前記フォーカスオフセット値を、最適フォーカスオフセット値として決定する、付記２に記載の光記憶装置。
【００７９】
（付記４）  前記最適フォーカスオフセット値判断手段は、前記誤り率が所定値以下となる記録光量の範囲が最も広い場合の、前記フォーカスオフセット値を、最適フォーカスオフセット値として決定する、付記１に記載の光記憶装置。
【００８０】
（付記５）  前記記録媒体は、複数のゾーンに分割されており、
前記各ゾーンの前記最適フォーカスオフセット値を記憶する記憶手段を更に有する、付記１に記載の光記憶装置。
【００８１】
（付記６）  前記各ゾーンを記録するときに、前記記憶手段に記憶された、前記各ゾーンに対応する前記最適フォーカスオフセット値を、前記加算手段に与える制御手段を更に有する、付記５に記載の光記憶装置。
【００８２】
（付記７）  前記記録媒体は、複数のゾーンに分割されており、前記各ゾーンは、テスト領域を有し、
前記各ゾーンの前記テスト領域の前記最適フォーカスオフセット値を記憶する記憶手段を更に有する、付記１に記載の光記憶装置。
【００８３】
（付記８）  前記各ゾーンを記録するときに、前記記憶手段に記憶された、前記各ゾーンに対応する、前記最適フォーカスオフセット値を、前記加算手段に与える制御手段を更に有する、付記７に記載の光記憶装置。
【００８４】
（付記９）  前記記録媒体は、複数のゾーンに分割されており、前記各ゾーンは、ユーザ領域を有し、
前記各ゾーンの前記ユーザ領域の中央部における前記最適フォーカスオフセット値を記憶する記憶手段を更に有する、付記１に記載の光記憶装置。
【００８５】
（付記１０）  前記各ゾーンを記録するときに、前記記憶手段に記憶された、前記各ゾーンに対応する、前記最適フォーカスオフセット値を、前記加算手段に与える制御手段を更に有する、付記９に記載の光記憶装置。
【００８６】
（付記１１）  前記記憶装置の製造時に決定される前記最適フォーカスオフセット値を記憶する不揮発性メモリを更に有する、付記１に記載の光記憶装置。
【００８７】
（付記１２）  前記フォーカスオフセット値判断手段は、
前記記憶装置の温度を測定する温度測定手段を有し、
前回の最適オフセット値の決定時から温度が変化した場合に、最適オフセット値を更新する、付記１に記載の光記憶装置。
【００８８】
（付記１３）  時間測定手段を有し、
前記フォーカスオフセット値判断手段は、前回の最適オフセット値の決定時から所定時間経過した場合に、最適オフセット値を更新する、付記１に記載の光記憶装置。
【００８９】
（付記１４）  前記フォーカスオフセット値設定手段、前記光量設定手段、記録再生手段、前記最適フォーカスオフセット値判断手段の動作を制御する動作制御手段を更に有し、前記動作制御手段は、所定時間経過後に、前記各手段の動作を停止する、付記１に記載の光記憶装置。
【００９０】
（付記１５）  前記フォーカスオフセット値設定手段、前記光量設定手段、記録再生手段、前記最適フォーカスオフセット値判断手段の動作を制御する動作制御手段を更に有し、前記動作制御手段は、前記最適フォーカスオフセット値判断手段が前記最適フォーカスオフセット値を決定するまで、各手段の動作を停止しない、付記１に記載の光記憶装置。
【００９１】
（付記１６）  前記光記録媒体を消去する場合には、前記最適フォーカスオフセット値判断手段は、最適フォーカスオフセット値としてゼロを決定する、付記１に記載の光記憶装置。
【００９２】
（付記１７）  光源から照射される光を光記録媒体の記録面に集光するフォーカス制御を行うためのフォーカス制御系を有し、記録媒体から情報を再生する光記憶装置において、
前記フォーカス制御系のフォーカスオフセット値を複数のオフセット値に順次設定する、フォーカスオフセット値設定手段と、
前記フォーカスオフセット値設定手段により設定されたフォーカスオフセット値を、前記フォーカス制御系に加算する加算手段と、
前記フォーカスオフセット値設定手段により設定された各フォーカスオフセット値毎に、前記光源から照射される再生光量を複数の所定値に順次設定する、光量設定手段と、
前記光量設定手段により設定された前記再生光量を使用して、前記光記録媒体から、情報を再生する、再生手段と、
前記光記録媒体から再生した情報の誤り率を測定する、誤り率測定手段と、
前記誤り率測定手段により測定した誤り率に基づいて、最適フォーカスオフセット値を決定する、最適フォーカスオフセット値判断手段とを有する、光記憶装置。
【００９３】
（付記１８）  光源から照射される光を光記録媒体の記録面に集光するフォーカス制御を行うフォーカス制御系の最適フォーカスオフセット値決定方法であって、
前記フォーカス制御系のフォーカスオフセット値を複数のオフセット値に順次設定する、フォーカスオフセット値設定ステップと、
前記フォーカスオフセット値設定手段により設定されたフォーカスオフセット値を、前記フォーカス制御系に加算する加算ステップと、
前記フォーカスオフセット値設定手段により設定された各フォーカスオフセット値毎に、前記光源から照射される記録光量を複数の所定値に順次設定する、光量設定ステップと、
前記光量設定手段により設定された前記記録光量を使用して、前記光記録媒体に、情報を記録し、前記記録した情報を再生する、記録再生ステップと、
前記再生した情報の誤り率を測定する、誤り率測定ステップと、
前記誤り率測定手段手段により測定した誤り率に基づいて、最適フォーカスオフセット値を決定する、最適フォーカスオフセット値判断ステップとを有する、最適フォーカスオフセット値決定方法。
【００９４】
（付記１９）  光源から照射される光を光記録媒体の記録面に集光するフォーカス制御を行うフォーカス制御系の最適フォーカスオフセット値決定方法であって、
前記フォーカス制御系のフォーカスオフセット値を複数のオフセット値に順次設定する、フォーカスオフセット値設定ステップと、
前記フォーカスオフセット値設定手段により設定されたフォーカスオフセット値を、前記フォーカス制御系に加算する加算ステップと、
前記フォーカスオフセット値設定手段により設定された各フォーカスオフセット値毎に、前記光源から照射される再生光量を複数の所定値に順次設定する、光量設定ステップと、
前記光量設定ステップにより設定された前記再生光量を使用して、前記光記録媒体から、情報を再生する、再生ステップと、
前記光記録媒体から再生した情報の誤り率を測定する、誤り率測定ステップと、
前記誤り率測定ステップにより測定した誤り率に基づいて、最適フォーカスオフセット値を決定する、最適フォーカスオフセット値判断ステップとを有する、最適フォーカスオフセット値決定方法。
【００９５】
（付記２０）  前記各ゾーンを記録するときに、前記記憶手段に記憶された、前記各ゾーンに対応する、前記最適フォーカスオフセット値を、前記加算手段に与える制御手段を更に有する、付記１に記載の光記憶装置。
【００９６】
【発明の効果】
本発明によれば、光記録媒体が高密度化され、再生データの誤り率を一定値以下とする場合の焦点ずれ（デフォーカス）に対する許容値が小さくても、低コストで且つ、最適な記録再生光量とフォーカスオフセット値を決定できる光記憶装置及び、その最適フォーカスオフセット値決定方法を提供することができる。
【図面の簡単な説明】
【図１】光磁気方式の従来の光記憶装置の一例を示す図である。
【図２】媒体記録面と媒体記録面に入射するレーザービームとの関係を示す図である。
【図３】本発明の第1の実施例の概略の構成を示す図である。
【図４】本発明の第1の実施例で最適フォーカスオフセット値を設定するための光記録媒体の一例である光ディスクを示す図である。
【図５】本発明の第1の実施例の最適オフセット値設定手順の動作を示すフローチャートを示す図である。
【図６】書き込み光量を変化させながら、情報を光ディスクに記録しこれを再生した場合の再生情報の誤り率を示す図である。
【図７】フォーカスオフセット値と記録再生光量を２次元座標として、再生情報の誤り率を等高線的に示した図である。
【図８】記録再生光量を変化させながら、情報を光ディスクに記録しこれを再生した場合の再生情報の誤りの個数を示す図である。
【図９】図９は、曲線８０１と曲線８０２の各点における再生情報の誤りの個数を示す図である。
【図１０】記録領域が複数のゾーンに分割されているような光記録担体の一例の光ディスクを示す図である。
【図１１】本発明の一実施例の構成を示す図である。
【図１２】本発明の一実施例の構成を示す図である。
【図１３】本発明の一実施例の構成を示す図である。
【図１４】磁気超解像（ＭＳＲ）方式を使用して、光記録媒体に記録された情報を再生する場合の、再生光量と再生情報の誤り率との関係を示す図である。
【図１５】磁気超解像（ＭＳＲ）方式を使用して、光記録媒体に記録された情報を再生する場合の、最適オフセット値設定手順の動作を示すフローチャートを示す図である。
【符号の説明】
１  光記憶装置
２  コントロールユニット
３  ディスクエンクロージャ
１０  光記録媒体
１１  上位インタフェース１１
１２  バッファメモリ
１３  ＭＰＵ
１４  光ディスクコントローラ
１５  リード／ライトＬＳＩ
１６  ＤＳＰ
１７  フォーカスエラー信号検出回路
１８  トラックエラー信号検出回路
１９  トラックゼロクロス検出回路
２０、２１、２２、２３  ドライバ
３１  レーザーダイオードユニット
３２  ＩＤ／ＭＯ信号検出用ディテクタ
３３  ヘッドアンプ
３４  スピンドルモータ
３５  磁場印加部
３６ａ  フォーカスエラー検出用ディテクタ
３６ｂ  トラックエラー検出用ディテクタ
３７  フォーカスアクチュエータ
３８  トラックアクチュエータ
４０  対物レンズ系
３０１、３０４  レジスタ
３０２  Ｄ／Ａ変換器
３０３  加算器
【図１】
0003917878.tif 000002
【図２】
0003917878.tif 000003
【図３】
0003917878.tif 000004
【図４】
0003917878.tif 000005
【図５】
0003917878.tif 000006
【図６】
0003917878.tif 000007
【図７】
0003917878.tif 000008
【図８】
0003917878.tif 000009
【図９】
0003917878.tif 000010
【図１０】
0003917878.tif 000011
【図１１】
0003917878.tif 000012
【図１２】
0003917878.tif 000013
【図１３】
0003917878.tif 000014
【図１４】
0003917878.tif 000015
【図１５】
0003917878.tif 000016